(57)【要約】【課題】  分岐作業性に優れる光ファイバユニット等を提供する。【解決手段】  光ファイバ心線３は、例えば外径０．５ｍｍの心線である。複数本の光ファイバ心線３の外周には、バンドル材５が設けられる。バンドル材５は、例えば、ポリエステル等の樹脂テープを用いることができる。バンドル材５は、複数の光ファイバ心線３の外周に螺旋巻きされる。本発明では、バンドル材５の熱収縮率は１．０３％以下であることが望ましい。バンドル材５の熱収縮率が、１．０３％以下であれば、バンドル材５が熱収縮した場合でも、内部の光ファイバ心線３の取り出し性を確保することができる。【選択図】図１
2014219530.tif 000002
【特許請求の範囲】
【請求項１】
複数のファイバ心線が束ねられた光ファイバユニットであって、
複数の光ファイバ心線と、
前記光ファイバ心線の外周に螺旋巻きされるバンドル材と、
を具備し、
前記バンドル材の熱収縮率が１．０３％以下であることを特徴とする光ファイバユニット。
【請求項２】
光ファイバケーブルであって、
複数の光ファイバ心線と、
前記光ファイバ心線の外周に螺旋巻きされるバンドル材と、
を有する複数の光ファイバユニットと、
前記光ファイバユニットの外周に設けられる緩衝層と、
前記緩衝層の外周に設けられる外被と、
を具備し、前記バンドル材の熱収縮率が１．０３％以下であることを特徴とする光ファイバケーブル。
【請求項３】
光ファイバケーブルの製造方法であって、
複数の光ファイバ心線を束ね、前記光ファイバ心線の外周にバンドル材を螺旋巻きして光ファイバユニットを構成し、
複数の前記光ファイバユニットを緩衝体とともに外周に樹脂を押出被覆して被覆部を形成し、
前記被覆部の形成時の熱による前記バンドル材の熱収縮率が１．０３％以下であることを特徴とする光ファイバケーブルの製造方法。
【発明の詳細な説明】
【技術分野】
【０００１】
本発明は、分岐作業性に優れる光ファイバユニット等に関するものである。
【背景技術】
【０００２】
近年の情報量の増加に伴い、１本の光ファイバケーブルにおける情報伝送量を増加すること、すなわち光ファイバケーブルに光ファイバを高密度に収納し、光ファイバの収納心数を増加させることが望まれている。収納心数が増加すると、光ファイバ心線を特定することが困難になるため、複数の光ファイバ心線を束ねて識別を容易にする方法が用いられている。このような、複数の光ファイバ心線が束ねられたものを光ファイバユニットと称する。使用時には、このような光ファイバユニットから必要な光ファイバ心線が取り出されて分岐される。
【０００３】
このような、光ファイバユニットとしては、例えば、複数本の光ファイバ心線が、バンドル材である二本の紐を互いに逆向きに螺旋巻きして構成されるものがある（特許文献１）。
【先行技術文献】
【特許文献】
【０００４】
【特許文献１】特開平９−２６５３４号公報
【発明の概要】
【発明が解決しようとする課題】
【０００５】
一方、このような光ファイバユニットは、通常、外周に外被が被覆されて用いられる。例えば、光ファイバユニットの外周に、緩衝層が設けられ、さらに外被が押出し被覆される。この際、光ファイバユニットを構成するバンドル材が、外被の押出し時に熱収縮する場合がある。
【０００６】
前述の通り、バンドル材は、光ファイバ心線の外周に螺旋巻きされる。したがって、この状態でバンドル材が熱収縮すると、内部の光ファイバ心線が強く締め付けられる。このような状態では、例えば、分岐作業時において、バンドル材から所望の光ファイバ心線を取り出すことが困難となる。
【０００７】
本発明は、このような問題に鑑みてなされたもので、分岐作業性に優れる光ファイバユニット等を提供することを目的とする。
【課題を解決するための手段】
【０００８】
前述した目的を達するために第１の発明は、複数のファイバ心線が束ねられた光ファイバユニットであって、複数の光ファイバ心線と、前記光ファイバ心線の外周に螺旋巻きされるバンドル材と、を具備し、前記バンドル材の熱収縮率が１．０３％以下であることを特徴とする光ファイバユニットである。
【０００９】
第１の発明によれば、バンドル材によって、光ファイバ心線を保持することができる。また、外被の押出し時などの高温時においても、バンドル材の熱収縮が小さい。このため、バンドル材によって、内部の光ファイバ心線が過剰に締め付けられることがない。したがって、分岐作業時に、光ファイバユニットから、光ファイバ心線を取り出すことが容易である。
【００１０】
第２の発明は、光ファイバケーブルであって、複数の光ファイバ心線と、前記光ファイバ心線の外周に螺旋巻きされるバンドル材と、を有する複数の光ファイバユニットと、前記光ファイバユニットの外周に設けられる緩衝層と、前記緩衝層の外周に設けられる外被と、を具備し、前記バンドル材の熱収縮率が１．０３％以下であることを特徴とする光ファイバケーブルである。
【００１１】
第２の発明によれば、内部の光ファイバユニットにおいて、光ファイバ心線がバンドル材によって過剰に締め付けられることがなく、分岐作業性にも優れる光ファイバケーブルを得ることができる。
【００１２】
第３の発明は、光ファイバケーブルの製造方法であって、複数の光ファイバ心線を束ね、前記光ファイバ心線の外周にバンドル材を螺旋巻きして光ファイバユニットを構成し、複数の前記光ファイバユニットを緩衝体とともに外周に樹脂を押出被覆して被覆部を形成し、前記被覆部形成時の熱による前記バンドル材の熱収縮率が１．０３％以下であることを特徴とする光ファイバケーブルの製造方法である。
【００１３】
第３の発明によれば、内部の光ファイバユニットにおいて、光ファイバ心線がバンドル材によって過剰に締め付けられることがなく、分岐作業性にも優れる光ファイバケーブルを得ることができる。
【発明の効果】
【００１４】
本発明によれば、分岐作業性に優れる光ファイバユニット等を提供することができる。
【図面の簡単な説明】
【００１５】
【図１】光ファイバユニット１を示す図。
【図２】（ａ）は光ファイバケーブル１０を示す図、（ｂ）は光ファイバケーブル１０ａを示す図。
【発明を実施するための形態】
【００１６】
以下、図面を参照しながら、本発明の実施形態について説明する。図１は、光ファイバユニット１を示す図である。光ファイバユニット１は、光ファイバ心線３、バンドル材５等により構成される。
【００１７】
光ファイバ心線３は、例えば外径０．５ｍｍの心線である。複数本の光ファイバ心線３の外周には、バンドル材５が設けられる。バンドル材５は、例えば、ポリエステル等の樹脂テープを用いることができる。なお、本発明では、バンドル材５として、熱により収縮する樹脂が用いられるものとする。
【００１８】
バンドル材５は、複数の光ファイバ心線３の外周に螺旋巻きされる。また、一対のバンドル材を互いに逆向きに螺旋巻きして光ファイバユニットを構成しても良い。この場合、光ファイバユニット１の長手方向の所定間隔で、バンドル材５が交差する。
【００１９】
なお、バンドル材５同士の交差部は、互いに接着してもよく、接着せずに重ね合わせるのみでも良い。いずれの場合でも、バンドル材５と光ファイバ心線３とは、接着することがない。
【００２０】
次に、光ファイバユニット１を用いた光ファイバケーブルの製造方法について説明する。図２（ａ）は、光ファイバユニット１を用いて形成された光ファイバケーブル１０を示す一例である。
【００２１】
まず、光ファイバ心線供給部から供給される複数の光ファイバ心線３が束ねられ、光ファイバ心線束が形成される。次いで、光ファイバ心線束の外周には、バンドル材５が螺旋巻きされる。この際、バンドル材５は、ある程度の張力が付与されて、光ファイバ心線束の外周に巻きつけられる。
【００２２】
このようにして得られた複数の光ファイバユニット１を撚り合わせ、それらの外周にポリプロピレンヤーン等の緩衝体１１を設けてケーブルコアを形成する。さらに、得られたケーブルコアの外周に、鋼線等からなるテンションメンバ１５および引き裂き紐１７とともに、ポリエチレン等からなる被覆部１３を押出し被覆して形成する。以上で光ファイバケーブル１０が形成される。
【００２３】
ここで、被覆部１３を押出し被覆する際に、光ファイバユニット１には、熱が加わる。例えば、ポリエチレン等の樹脂を押出し被覆する場合、緩衝体１１を介して、概ね１００℃程度の熱が、光ファイバユニット１に加えられる。このように熱が加わると、光ファイバユニット１を構成するバンドル材５が熱収縮する。
【００２４】
バンドル材５が熱収縮すると、バンドル材５で保持された光ファイバ心線束が、強く締め付けられる。このように、バンドル材５によって、内部の光ファイバ心線束が強く締め付けられると、光ファイバ心線３の取り出し性が悪くなる。すなわち、光ファイバケーブル１０の内部から、所望の光ファイバ心線３を取り出して分岐させるような場合において、光ファイバ心線３を取り出すことが困難となる。
【００２５】
したがって、本発明では、バンドル材５の熱収縮率は１．０３％以下であることが望ましい。バンドル材５の熱収縮率が、１．０３％を超えると、バンドル材５が熱収縮することにより、内部の光ファイバ心線３が過剰に締めつけられ、その取り出し性が悪化する。
【００２６】
なお、熱収縮率の下限値は特に設定する必要がないが、通常の樹脂の熱収縮率を考慮すれば、例えば０．０５％以上であれば良い。それよりも小さな熱収縮率を有する特殊な樹脂を採用することは、コスト増となるためである。
【００２７】
なお、本発明の光ファイバユニット１を用いた光ファイバケーブルとしては、図２（ａ）に示す光ファイバケーブル１０の他、例えば図２（ｂ）に示す、スロットを用いた光ファイバケーブル１０ａであっても良い。
【００２８】
光ファイバケーブル１０ａは、スロット１９の外周に形成された複数のスロット溝２１にそれぞれ光ファイバユニット１が配置される。なお、テンションメンバ１５は、スロット１９の略中心に設けられ、スロット１９の外周に必要に応じて押さえ巻きを施した後に被覆部１３が形成される。
【００２９】
この場合であっても、光ファイバケーブル１０と同様の効果を得ることができる。すなわち、バンドル材５の熱収縮率を１．０３％以下とすれば、被覆部１３を押出し被覆する際の熱で、バンドル材５が熱収縮しても、光ファイバ心線３の取り出し線を確保することができる。
【００３０】
以上説明したように、本実施の形態によれば、巻きつけられたバンドル材５によって、内部の光ファイバ心線３を確実に保持することができる。この際、バンドル材５の熱収縮が１．０３％以下であるため、被覆部１３の形成時の熱で、過剰にバンドル材５が熱収縮することがない。
【００３１】
したがって、バンドル材５によって、内部の光ファイバ心線３が過剰に強く締め付けられることがない。このため、光ファイバ心線３の取り出し性が悪化することを抑制することができる。
【００３２】
以上、添付図を参照しながら、本発明の実施の形態を説明したが、本発明の技術的範囲は、前述した実施の形態に左右されない。当業者であれば、特許請求の範囲に記載された技術的思想の範疇内において各種の変更例または修正例に想到し得ることは明らかであり、それらについても当然に本発明の技術的範囲に属するものと了解される。
【実施例】
【００３３】
本発明にかかる光ファイバユニットについて評価を行った。本発明品は、図１に示した光ファイバユニットを用いた光ファイバケーブルであって、図２（ａ）に示す構成と略同様である。具体的には、０．２５ｍｍφの光ファイバ心線が間欠接着された光ファイバテープ心線を５枚束ねて、２．０ｍｍ幅のバンドル材を巻きつけて光ファイバユニットを製造した。
【００３４】
バンドル材としては、ポリエチレンテレフタレートやポリエチレン等の材質の選択と、延伸量、エージング時間等を調整することで、熱収縮率を複数水準に振って評価を行った。バンドル材の熱収縮率は、長さ１０ｃｍの試験片を１００℃のオーブンに１０分間保持し、当初の長さと収縮後の長さから算出した。
【００３５】
なお、バンドル材の熱収縮率は、１００℃×１０分で評価したが、バンドル材として通常使用される樹脂であれば、１００℃以上であって軟化点温度以下の温度範囲で加熱した場合であっても、それ以上の収縮はほとんど起こらなかった。また、加熱保持時間を延長した場合であっても、それ以上の収縮はほとんど起こらなかった。すなわち、１００℃×１０分の加熱による熱収縮率は、その素材の有する特有の最大熱収縮率と考えることができる。
【００３６】
種々のバンドル材を用い、前述した方法で光ファイバケーブルを製造した。得られた光ファイバケーブルの被覆部を剥ぎ取り、内部の光ファイバユニットから、任意の光ファイバ心線を容易に取り出すことができるかを評価した。
【００３７】
結果を表１に示す。なお、本実施例において、熱収縮率が１．０３％を超えると、内部の光ファイバ心線がバンドル材の外方に湾曲する場合が見られた。本実施例では、光ファイバ心線が湾曲して、バンドル材から飛び出したものは除外して評価した。すなわち、光ファイバ心線がバンドル材によって確実に保持されているものについて評価した。
【００３８】
【表１】
2014219530.tif 000003
【００３９】
表中の「光ファイバ心線の取り出し作業性」において、「○」は、任意の光ファイバ心線を一度で確実に分離して取り出すことができたものを示す。また、「×」は、１本のみを取り出すことができず、一度に複数本が取り出されたり、所望の光ファイバのみを取り出すことが困難であり、光ファイバ心線の取り出し作業を複数回繰り返す必要があったものを示す。
【００４０】
結果より、熱収縮率が２．８７％以上では、バンドル材による光ファイバ心線の締めつけ力が大きすぎるため、所望の光ファイバ心線を取り出すことができなかった。
【００４１】
これに対し、熱収縮率が１．０３％以下では、任意の光ファイバ心線を取り出すことが容易であった。すなわち、熱収縮率が１．０３％以下では、被覆部の押出時における、バンドル材の熱収縮量が小さく、これによる光ファイバ心線の締め付けが弱いため、光ファイバ心線の取り出し性が良好であった。
【符号の説明】
【００４２】
１………光ファイバユニット
３………光ファイバ心線
５………バンドル材
１０、１０ａ………光ファイバケーブル
１１………緩衝体
１３………被覆部
１５………テンションメンバ
１７………引き裂き紐
１９………スロット
２１………スロット溝
【図１】
2014219530.tif 000004
【図２】
2014219530.tif 000005